(57)【要約】【課題】建設コストを安くし得るごみ焼却設備を提供する。【解決手段】ごみ焼却炉４にごみを供給するためにごみ収集車Ｔにより搬入されたごみを貯留するごみピット２が設けられたごみ焼却設備１であって、ごみピット１の側壁部１３に沿ってごみ収集車Ｔの搬入床部１７を設けるとともに、この搬入床部１７より高い上方位置の側壁部１３にごみ投入口１８を形成し、且つ上記搬入床部１７におけるごみ収集車Ｔの搬入位置とごみ投入口１８に対応する投入位置との間で、当該ごみ収集車Ｔを昇降させるエレベータ装置１９を具備したものである。【選択図】　　　図１
2004083192.tif 000002
【特許請求の範囲】
【請求項１】
焼却炉にごみを供給するためにごみ収集車により搬入されたごみを貯留するごみピットが設けられたごみ焼却設備であって、
上記ごみピットの側壁部に沿ってごみ収集車の搬入床部を設けるとともに、この搬入床部より高い上方位置の側壁部にごみ投入口を形成し、
且つ上記搬入床部におけるごみ収集車の搬入位置とごみ投入口に対応する投入位置との間で、当該ごみ収集車を昇降させる昇降装置を具備したことを特徴とするごみ焼却設備。
【請求項２】
ごみ収集車の搬入位置に対応する低い下方位置の側壁部に、別のごみ投入口を設けたことを特徴とする請求項１に記載のごみ焼却設備。
【発明の詳細な説明】
【０００１】
【発明の属する技術分野】
本発明は、ごみ焼却設備に関するものである。
【０００２】
【従来の技術】
従来、ごみ焼却設備の構造としては、図５に示すようなものであった。
すなわち、このごみ焼却設備は、大きく分けて、ごみピット５１と、ごみピット５１からのごみを燃焼させる焼却炉５２と、この焼却炉５２にて発生した高温の排気ガスの熱を回収するための排熱回収ボイラ５３とを具備している。
【０００３】
ところで、ごみピット５１へのごみ投入口６１は、通常、１階または地上２階程度の高さに設けられており、ごみの貯留量を大きくするためには、その底壁部５１ａが深くされていた。
【０００４】
【特許文献１】
特開平８−１７８２４４号公報（図１）
【０００５】
【発明が解決しようとする課題】
上述したように、ごみピット５１の底壁部５１ａを深くすると、地下に大きい構造物を構築するため、建設コストが非常に高くなるという問題があった。
【０００６】
そこで、本発明は、建設コストを安くし得るごみ焼却設備を提供することを目的とする。
【０００７】
【課題を解決するための手段】
上記課題を解決するために、本発明のごみ焼却設備は、焼却炉にごみを供給するためにごみ収集車により搬入されたごみを貯留するごみピットが設けられたごみ焼却設備であって、
上記ごみピットの側壁部に沿ってごみ収集車の搬入床部を設けるとともに、この搬入床部より高い上方位置の側壁部にごみ投入口を形成し、且つ上記搬入床部におけるごみ収集車の搬入位置とごみ投入口に対応する投入位置との間で、当該ごみ収集車を昇降させる昇降装置を具備したものであり、
また上記構成において、ごみ収集車の搬入位置に対応する低い下方位置の側壁部に、別のごみ投入口を設けたものである。
【０００８】
上記の構成によると、ごみピットへのごみ投入口を、ごみ収集車の搬入床部より高い上方位置に設けるとともに、搬入位置におけるごみ収集車を、ごみ投入口まで上昇させる昇降装置を設けたので、ごみ投入口を搬入位置に対応する低い下方位置に設けた場合に比べて、ごみ貯留室を、それ程、深く掘り下げる必要がなく、したがって建設コストの低減化を図ることができる。
【０００９】
また、ごみ収集車の搬入位置に対応する低い下方位置に、別のごみ投入口を設けておくことにより、例えばごみの量が少ない場合に、当該別のごみ投入口からごみを投入するようにすれば、ごみの搬入作業時間の短縮化を図ることができる。
【００１０】
【発明の実施の形態】
以下、本発明の実施の形態に係るごみ焼却設備を、図１〜図４に基づき説明する。
【００１１】
図１および図２に示すように、このごみ焼却設備１は、大きく分けて、ごみを貯えるごみピット２と、このごみピット２内のごみを当該ごみピット２に設けられた天井クレーン装置３により供給されるごみを燃焼室４ａにて燃焼させる焼却炉４と、この焼却炉４にて発生した高温の排気ガスの熱を回収するための排熱回収ボイラ５とから構成されている。
【００１２】
ところで、本発明の要旨は、ごみピット２にあるため、以下、この部分に着目して説明する。
このごみピット２は、平面視矩形状で且つ所定高さのごみ貯留室１１を有するもので、地上（ＧＬ）から比較的浅い下方位置に設けられる底壁部１２と、ごみ収集車Ｔによるごみ搬入側の前部側壁部１３と、焼却炉４側の後部側壁部１４と、左右側壁部１５と、天井である上壁部１６とから構成されており、また上記前部側壁部１３に沿って且つ地上にほぼ近い位置でごみ収集車Ｔの搬入床部１７が設けられている。
【００１３】
そして、上記前部側壁部１３の搬入床部１７の床面すなわち搬入位置から高い上方位置に（少なくとも、ごみ収集車以上の高さ位置で、より具体的には、１０ｍ以上の高さ位置である）ごみ投入口１８が設けられるとともに、この前部側壁部１３の直ぐ前方の搬入床部１７には、ごみ収集車Ｔを、搬入床部（搬入位置でもある）１７とごみ投入口１８との間で昇降させるためのエレベータ装置（昇降装置）１９が具備されている。
【００１４】
このエレベータ装置１９は、図３および図４に示すように、搬入床部１７とごみ投入口１８との間で昇降駆動機２１により昇降自在にされた昇降台２２と、この昇降台２２上に支持フレーム２３を介して設けられてごみ収集車Ｔを載置し少なくともごみ投入口１８に対して所定距離でもって往復移動させるコンベヤ装置２４とから構成されている。なお、ごみ投入口１８には、勿論、開閉扉２０が設けられている。
【００１５】
上記昇降駆動機２１としては、例えばウインチ装置が用いられており、ワイヤロープ２１ａを介して昇降台２２を上昇および下降させるようにしたものである。勿論、昇降台２２は、左右前後位置に設けられたガイド部材（図示せず）により上下方向で案内されている。なお、ウインチ装置の替わりに、シリンダ装置により、ワイヤロープを介して昇降台を昇降させることもできる。
【００１６】
また、上記コンベヤ装置２４としては、ごみ投入口１８に対して前後方向で移動されるスラットコンベヤが用いられるとともに、昇降台２２側には、このスラットコンベヤにてごみ収集車Ｔをごみ投入口１８側に移動させた際に、ごみ貯留室１１内に落下するのを防止するための落下防止具（図示せず）が設けられている。この落下防止具としては、例えばごみ収集車Ｔのタイヤに当接するストッパーであってもよい。なお、スラットコンベヤの替わりに、ベルトコンベヤ、ローラコンベヤなどを用いることもできる。
【００１７】
上記ごみ焼却設備１において、ごみを満載したごみ収集車Ｔが搬入床部１７上で、すなわち昇降台２２上で停止した後、運転者が、例えば昇降台２２側に設けられた操作盤のスイッチを押することにより、昇降台２２をごみ投入口１８まで上昇させる。
【００１８】
昇降台２２がごみ投入口１８まで上昇して停止した後、運転者が操作盤のスイッチを押して、ごみ投入口１８の開閉扉２０を開き、そしてコンベヤ装置２４を駆動させて、ごみ収集車Ｔをごみ貯留室１１側に移動させる。
【００１９】
ごみ収集車Ｔの後端部がごみ投入口１８側の所定位置に達すると、コンベヤ装置２４が自動的に停止する。
ごみ収集車Ｔが停止した後、運転者がごみ収集車を操作して、収集車内のごみをごみ貯留室１１内に排出させる。
【００２０】
ごみの排出が完了すると、上記とは逆の手順にて、すなわちコンベヤ装置２４を逆に駆動させた後、昇降台２２を下降させて、ごみ収集車Ｔを搬入床部１７まで下降させればよい。
【００２１】
このように、ごみピット２へのごみ投入口１８を、ごみ収集車Ｔの搬入床部１７よりかなり高い上方位置に設けるとともに、搬入床部１７のごみ収集車Ｔを、ごみ投入口１８まで上昇させるエレベータ装置１９を設けたので、ごみ投入口１８を搬入床部１７に対応する低い下方位置に設けた場合に比べて、ごみ貯留室１１の底壁部１２を、あまり深く掘り下げる必要がなくなり、したがってごみ焼却設備の建設コストの低減化を図ることができる。
【００２２】
ところで、上記実施の形態においては、ごみ投入口１８を搬入床部１７よりもかなり高い上方位置に設けたが、図１の仮想線にて示すように、この搬入床部１７に対応する低い下方位置にも、上記とは別のごみ投入口１８′を設けておくことにより、例えばごみの貯留量が少ない場合には、このごみ投入口１８′からごみ貯留室１１内にごみを投入するようにすれば、ごみの搬入作業時間の短縮化を図ることができる。なお、この別のごみ投入口１８′からごみ収集車Ｔのごみをごみ貯留室１１内に排出する場合には、コンベヤ装置２４によりごみ収集車Ｔを移動させてもよく、またはごみ収集車Ｔ自身をごみ投入口１８′側に少し後退させるようにしてもよい。
【００２３】
【発明の効果】
以上のように本発明のごみ焼却設備の構成によると、ごみピットへのごみ投入口を、ごみ収集車の搬入床部より高い上方位置に設けるとともに、搬入位置におけるごみ収集車を、ごみ投入口まで上昇させる昇降装置を設けたので、ごみ投入口を搬入位置に対応する低い下方位置に設けた場合に比べて、ごみ貯留室を、それ程、深く掘り下げる必要がなく、したがって建設コストの低減化を図ることができる。
【００２４】
また、ごみ収集車の搬入位置に対応する低い下方位置に、別のごみ投入口を設けておくことにより、例えばごみの量が少ない場合に、当該別のごみ投入口からごみを投入するようにすれば、ごみの搬入作業時間の短縮化を図ることができる。
【図面の簡単な説明】
【図１】本発明の実施の形態に係るごみ焼却設備の概略構成を示す断面図である。
【図２】同ごみ焼却設備のごみピットの水平断面図である。
【図３】同ごみピットにおける要部断面図である。
【図４】図３のＡ−Ａ矢視図である。
【図５】従来例のごみ焼却設備の概略構成を示す断面図である。
【符号の説明】
１　　　ごみ焼却設備
２　　　ごみピット
１１　　　ごみ貯留室
１２　　　底壁部
１７　　　搬入床部
１８　　　ごみ投入口
１８′　　ごみ投入口
１９　　　エレベータ装置
２１　　　昇降駆動機
２２　　　昇降台
２４　　　コンベヤ装置
【図１】
2004083192.tif 000003
【図２】
2004083192.tif 000004
【図３】
2004083192.tif 000005
【図４】
2004083192.tif 000006
【図５】
2004083192.tif 000007